(57)【要約】【課題】さらなる高速化を実現可能なハンドオーバ方法を得ること。【解決手段】本発明のハンドオーバ方法は、セル（１）で基地局２と通信中の移動局１が、セル（１）より受信状態の良好な同一基地局のセル（２）を検出した場合に、セル（２）情報を含むＦＣＳ請求を送信するＦＣＳ請求ステップと、ＦＣＳ請求を受け取った基地局２が、ＦＣＳ許可情報を含むＦＣＳ確認をＦＣＳ−ＳＣＣＨを用いて送信するＦＣＳ確認ステップと、セル（１）とセル（２）との間でＨＡＲＱ操作の受け継ぎ処理を行い、セル（２）において未送信データを送信するデータ送信ステップと、ＦＣＳ確認を受け取った移動局１が、セル（２）に切り替えてデータを受信するデータ受信ステップと、を含む。【選択図】　　　図１
2004072513.tif 000002
【特許請求の範囲】
【請求項１】
第１のセルで基地局と通信中の移動局が、当該第１のセルを越える回線品質を有する同一基地局の第２のセルを検出した場合に、当該第２のセルに関する情報を含めたＦＣＳ（Ｆａｓｔ　Ｃｅｌｌ　Ｓｅｌｅｃｔｉｏｎ）請求を送信するＦＣＳ請求ステップと、
ＦＣＳ請求を受け取った前記基地局が、リソースがある場合に、ＦＣＳが可能であることを示す情報を含めたＦＣＳ確認を所定のチャネルを用いて前記移動局に対して送信するＦＣＳ確認ステップと、
ＦＣＳ確認送信後、前記第１のセルと前記第２のセルとの間で自動再送要求操作の受け継ぎ処理を行い、前記第２のセルにおいて前記受け継ぎ処理後の自動再送操作手順にしたがって未送信データを送信するデータ送信ステップと、
ＦＣＳ確認を受け取った前記移動局が、前記第２のセルに切り替えてデータを受信するデータ受信ステップと、
を含むことを特徴とするハンドオーバ方法。
【請求項２】
前記ＦＣＳ確認ステップにてリソースがない場合、前記第１のセルにおけるデータの送信を継続することを特徴とする請求項１に記載のハンドオーバ方法。
【請求項３】
前記自動再送要求操作の受け継ぎ処理では、
前記第１のセルの制御部で管理している自動再送要求操作に関する情報を、前記基地局内の内部バスを介して前記第２のセルの制御部に対して送信することを特徴とする請求項１または２に記載のハンドオーバ方法。
【請求項４】
第１のセルで第１の基地局と通信中の移動局が、当該第１のセルを越える回線品質を有する第２の基地局の第２のセルを検出した場合に、当該第２のセルに関する情報を含めたＦＣＳ（Ｆａｓｔ　Ｃｅｌｌ　Ｓｅｌｅｃｔｉｏｎ）請求を送信するＦＣＳ請求ステップと、
ＦＣＳ請求を受け取った前記第２の基地局が、リソースがある場合に、ＦＣＳが可能であることを示す情報を含めたＦＣＳ確認を所定のチャネルを用いて前記移動局に対して送信するＦＣＳ確認ステップと、
ＦＣＳ確認送信後、前記第１のセルと前記第２のセルとの間で自動再送要求操作の受け継ぎ処理を行い、前記第２のセルにおいて前記受け継ぎ処理後の自動再送操作手順にしたがって未送信データを送信するデータ送信ステップと、
ＦＣＳ請求を受け取った前記第１の基地局が、前記第１のセルにおけるデータの送信を停止する送信停止ステップと、
ＦＣＳ確認を受け取った前記移動局が、前記第２のセルに切り替えてデータを受信するデータ受信ステップと、
を含むことを特徴とするハンドオーバ方法。
【請求項５】
前記自動再送要求操作の受け継ぎ処理では、
前記第１のセルの制御部で管理している自動再送要求操作に関する情報を、隣接基地局を接続した専用線を介して前記第２のセルの制御部に対して送信することを特徴とする請求項４に記載のハンドオーバ方法。
【請求項６】
前記所定のチャネルとして、ＦＣＳ制御専用の共通制御チャネルを設けることを特徴とする請求項１〜５のいずれか一つに記載のハンドオーバ方法。
【請求項７】
制御チャネルが複数のチャネルで構成されている場合、いずれか１本のチャネルをＦＣＳ確認のための前記所定のチャネルとして割り当てることを特徴とする請求項１〜５のいずれか一つに記載のハンドオーバ方法。
【請求項８】
前記ＦＣＳ請求ステップにてＦＣＳ請求後、前記ＦＣＳ確認ステップにてＦＣＳの許可が得られない場合、前記移動局は、前記第１のセルで通信を継続することを特徴とする請求項１〜７のいずれか一つに記載のハンドオーバ方法。
【請求項９】
前記ＦＣＳ請求ステップにてＦＣＳ請求後、前記ＦＣＳ確認ステップにてＦＣＳの許可が得られず、かつ前記第２のセル以外に前記第１のセルを越える回線品質を有する第３のセルが存在する場合、前記移動局は、当該第３のセルに関する情報を含めたＦＣＳ請求を送信することを特徴とする請求項１〜８のいずれか一つに記載のハンドオーバ方法。
【請求項１０】
同一基地局におけるセル間および異なる基地局間でハンドオーバを実行可能な移動局において、
第１のセルで基地局と通信中に、当該第１のセルを越える回線品質を有する第２のセルを検出した場合に、当該第２のセルに関する情報を含めたＦＣＳ（ＦａｓｔＣｅｌｌ　Ｓｅｌｅｃｔｉｏｎ）請求を送信し、ＦＣＳ請求に対する応答として、ＦＣＳが可能であることを示す情報が含まれたＦＣＳ確認を所定のチャネルを介して受け取った場合に、前記第２のセルに切り替える、ＦＣＳ制御手段、
を備えることを特徴とする移動局。
【請求項１１】
ＦＣＳ制御専用として設けられた共通制御チャネルを介してＦＣＳ確認を受信することを特徴とする請求項１０に記載の移動局。
【請求項１２】
制御チャネルを介してＦＣＳ確認を受信することを特徴とする請求項１０に記載の移動局。
【請求項１３】
前記ＦＣＳ制御手段は、
前記ＦＣＳ請求後、ＦＣＳの許可が得られない場合、前記第１のセルで通信を継続することを特徴とする請求項１０、１１または１２に記載の移動局。
【請求項１４】
前記ＦＣＳ制御手段は、
前記ＦＣＳ請求後、ＦＣＳの許可が得られず、かつ前記第２のセル以外に前記第１のセルを越える回線品質を有する第３のセルが存在する場合、当該第３のセルに関する情報を含めたＦＣＳ請求を送信することを特徴とする請求項１０〜１３のいずれか一つに記載の移動局。
【請求項１５】
第１のセルで移動局と通信中に、同一基地局の第２のセルに関する情報が含まれたＦＣＳ（Ｆａｓｔ　Ｃｅｌｌ　Ｓｅｌｅｃｔｉｏｎ）請求を受け取り、かつリソースがある場合、ＦＣＳが可能であることを示す情報を含めたＦＣＳ確認を所定のチャネルを用いて前記移動局に対して送信し、ＦＣＳ確認送信後、前記第１のセルと前記第２のセルとの間で自動再送要求操作の受け継ぎ処理を行い、前記第２のセルにおいて前記受け継ぎ処理後の自動再送操作手順にしたがって未送信データを送信する、ＦＣＳ制御手段、
を備えることを特徴とする基地局。
【請求項１６】
前記ＦＣＳ制御手段は、
前記リソースがない場合、前記第１のセルにおけるデータの送信を継続することを特徴とする請求項１５に記載の基地局。
【請求項１７】
前記自動再送要求操作の受け継ぎ処理では、
前記第１のセルの制御部で管理している自動再送要求操作に関する情報を、前記基地局内の内部バスを介して前記第２のセルの制御部に対して送信することを特徴とする請求項１５または１６に記載の基地局。
【請求項１８】
第１のセルで他の基地局と移動局が通信中に、自局の第２のセルに関する情報が含まれたＦＣＳ（Ｆａｓｔ　Ｃｅｌｌ　Ｓｅｌｅｃｔｉｏｎ）請求を受け取り、かつリソースがある場合、ＦＣＳが可能であることを示す情報を含めたＦＣＳ確認を所定のチャネルを用いて前記移動局に対して送信し、ＦＣＳ確認送信後、前記第１のセルと前記第２のセルとの間で自動再送要求操作の受け継ぎ処理を行い、前記第２のセルにおいて前記受け継ぎ処理後の自動再送操作手順にしたがって未送信データを送信する、ＦＣＳ制御手段、
を備えることを特徴とする基地局。
【請求項１９】
前記自動再送要求操作の受け継ぎ処理では、
前記第１のセルの制御部で管理している自動再送要求操作に関する情報を、隣接基地局を接続した専用線を介して前記第２のセルの制御部に対して送信することを特徴とする請求項１８に記載の基地局。
【請求項２０】
前記所定のチャネルとして、ＦＣＳ制御専用の共通制御チャネルを設けることを特徴とする請求項１５〜１９のいずれか一つに記載の基地局。
【請求項２１】
制御チャネルが複数のチャネルで構成されている場合、いずれか１本のチャネルをＦＣＳ確認のための前記所定のチャネルとして割り当てることを特徴とする請求項１５〜１９のいずれか一つに記載の基地局。
【請求項２２】
第１のセルで移動局と通信中に、他局の第２のセルに関する情報が含まれたＦＣＳ（Ｆａｓｔ　Ｃｅｌｌ　Ｓｅｌｅｃｔｉｏｎ）請求を受け取り、かつ前記他局がＦＣＳを許可した場合、前記第１のセルにおけるデータの送信を停止するＦＣＳ制御手段、
を備えることを特徴とする基地局。
【発明の詳細な説明】
【０００１】
【発明の属する技術分野】
本発明は、移動体通信システムにおけるハンドオーバ方法に関するものであり、特に、高速下りパケット伝送（ＨＳＤＰＡ：Ｈｉｇｈ−Ｓｐｅｅｄ　Ｄｏｗｎｌｉｎｋ　ｐａｃｋｅｔ　ａｃｃｅｓｓ）実行時におけるハンドオーバ方法、当該ハンドオーバを実現可能な移動局および基地局に関するものである。
【０００２】
【従来の技術】
以下、従来の移動体通信システムにおけるハンドオーバ方法について説明する。近年、移動体通信用の高速パケット通信技術として、最大で８Ｍｂｐｓ超のパケット伝送を下り方向で実現可能な方式、具体的にいうと、高速下りパケット伝送（ＨＳＤＰＡ）に関する技術が検討されている。
【０００３】
図１６は、上記ＨＳＤＰＡを実現可能な移動体通信システムの一構成例を示す図である。図１６において、１０１は移動局（ＵＥ：Ｕｎｉｔ　Ｅｑｕｉｐｍｅｎｔ）であり、１０２，１０３は基地局（ＮｏｄｅＢ）であり、１０４，１０５は基地局１０２，１０３がそれぞれカバーするエリアである。ＨＳＤＰＡでは、伝送方式として、伝送路特性やトラヒック状況に応じて変調パラメータを適応的に制御する適応変調復号方式（ＡＭＣ：Ａｕｔｏｍａｔｉｃ　Ｍｏｄｕｌａｔｉｏｎ　ａｎｄ　Ｃｏｄｉｎｇ）を採用し、誤り制御技術として、自動再送要求（ＡＲＱ：Ａｕｔｏｍａｔｉｃ　Ｒｅｐｏｒｔ　ｒｅＱｕｅｓｔ）方式のプロトコルの１つであるハイブリッド自動再送要求（ＨＡＲＱ：Ｈｙｂｒｉｄ　Ａｕｔｏｍａｔｉｃ　Ｒｅｐｏｒｔ　ｒｅＱｕｅｓｔ）を採用する。
【０００４】
上記移動体通信システムにおいて、基地局１０２のセル（１）で通信中の移動局１０１が、たとえば、同一基地局のセル（２）に移動すると、移動局１０１および基地局１０２は、移動局１０１主導で、同一基地局におけるセル（Ｉｎｔｒａ−ＮｏｄｅＢ）間のハンドオーバを実施する。一方、基地局１０２のセル（１）で通信中の移動局１０１が、たとえば、基地局１０３のセル（１）に移動した場合には、移動局１０１および基地局１０２は、移動局１０１主導で、異なる基地局（Ｉｎｔｅｒ−ＮｏｄｅＢ）間のハンドオーバを実施する。
【０００５】
そして、たとえば、上記Ｉｎｔｅｒ−ＮｏｄｅＢ間のハンドオーバの実施によってセルが変更されると、無線ネットワーク制御装置（ＲＮＣ：Ｒａｄｉｏ　Ｎｅｔｗｏｒｋ　Ｃｏｎｔｒｏｌｌｅｒ）では、図１７に示すように、基地局１０２の送信Ｑｕｅｕｅの未送信データを破棄するように制御し、ＲＮＣ送信バッファ内の送信データを、先頭から順に基地局１０３の送信Ｑｕｅｕｅに対して再設定する。すなわち、従来技術では、ハンドオーバ元の未送信データを破棄する処理、およびハンドオーバ先に送信データを設定する処理を、ＭＡＣ（Ｍｅｄｉｕｍ　Ａｃｃｅｓｓ　Ｃｏｎｔｒｏｌ）レイヤ等の上位レイヤの制御により実現している。
【０００６】
【発明が解決しようとする課題】
しかしながら、上記、従来の移動体通信システムでは、ハンドオーバ時、Ｉｎｔｒａ−ＮｏｄｅＢ間およびＩｎｔｅｒ−ＮｏｄｅＢ間においてＨＡＲＱ操作の受け継ぎが行われない、という問題があった。また、ＨＳＤＰＡに関するＦＣＳ（Ｆａｓｔ　Ｃｅｌｌ　Ｓｅｌｅｃｔｉｏｎ）操作の制御手順および信号伝達手段が、具体的に提案されていない、という問題があった。
【０００７】
また、従来の移動体通信システムにおいては、ＦＣＳ時、ＲＮＣによる制御、すなわち、上位レイヤによる制御が発生するため、処理に時間がかかる、という問題があった。
【０００８】
本発明は、上記に鑑みてなされたものであって、ＨＳＤＰＡに関するＦＣＳ操作の制御手順および信号伝達手段を規定することによって、ハンドオーバの効率化および高速化を実現することが可能な移動局および基地局を得ることを目的とする。
【０００９】
【課題を解決するための手段】
上述した課題を解決し、目的を達成するために、本発明にかかるハンドオーバ方法にあっては、第１のセルで基地局と通信中の移動局が、当該第１のセルを越える回線品質を有する同一基地局の第２のセルを検出した場合に、当該第２のセルに関する情報を含めたＦＣＳ（Ｆａｓｔ　Ｃｅｌｌ　Ｓｅｌｅｃｔｉｏｎ）請求を送信するＦＣＳ請求ステップと、ＦＣＳ請求を受け取った前記基地局が、リソースがある場合に、ＦＣＳが可能であることを示す情報を含めたＦＣＳ確認を所定のチャネルを用いて前記移動局に対して送信するＦＣＳ確認ステップと、ＦＣＳ確認送信後、前記第１のセルと前記第２のセルとの間で自動再送要求操作の受け継ぎ処理を行い、前記第２のセルにおいて前記受け継ぎ処理後の自動再送操作手順にしたがって未送信データを送信するデータ送信ステップと、ＦＣＳ確認を受け取った前記移動局が、前記第２のセルに切り替えてデータを受信するデータ受信ステップと、を含むことを特徴とする。
【００１０】
つぎの発明にかかるハンドオーバ方法にあっては、前記ＦＣＳ確認ステップにてリソースがない場合、前記第１のセルにおけるデータの送信を継続することを特徴とする。
【００１１】
つぎの発明にかかるハンドオーバ方法において、前記自動再送要求操作の受け継ぎ処理では、前記第１のセルの制御部で管理している自動再送要求操作に関する情報を、前記基地局内の内部バスを介して前記第２のセルの制御部に対して送信することを特徴とする。
【００１２】
つぎの発明にかかるハンドオーバ方法にあっては、第１のセルで第１の基地局と通信中の移動局が、当該第１のセルを越える回線品質を有する第２の基地局の第２のセルを検出した場合に、当該第２のセルに関する情報を含めたＦＣＳ（Ｆａｓｔ　Ｃｅｌｌ　Ｓｅｌｅｃｔｉｏｎ）請求を送信するＦＣＳ請求ステップと、ＦＣＳ請求を受け取った前記第２の基地局が、リソースがある場合に、ＦＣＳが可能であることを示す情報を含めたＦＣＳ確認を所定のチャネルを用いて前記移動局に対して送信するＦＣＳ確認ステップと、ＦＣＳ確認送信後、前記第１のセルと前記第２のセルとの間で自動再送要求操作の受け継ぎ処理を行い、前記第２のセルにおいて前記受け継ぎ処理後の自動再送操作手順にしたがって未送信データを送信するデータ送信ステップと、ＦＣＳ請求を受け取った前記第１の基地局が、前記第１のセルにおけるデータの送信を停止する送信停止ステップと、ＦＣＳ確認を受け取った前記移動局が、前記第２のセルに切り替えてデータを受信するデータ受信ステップと、を含むことを特徴とする。
【００１３】
つぎの発明にかかるハンドオーバ方法において、前記自動再送要求操作の受け継ぎ処理では、前記第１のセルの制御部で管理している自動再送要求操作に関する情報を、隣接基地局を接続した専用線を介して前記第２のセルの制御部に対して送信することを特徴とする。
【００１４】
つぎの発明にかかるハンドオーバ方法にあっては、前記所定のチャネルとして、ＦＣＳ制御専用の共通制御チャネルを設けることを特徴とする。
【００１５】
つぎの発明にかかるハンドオーバ方法にあっては、制御チャネルが複数のチャネルで構成されている場合、いずれか１本のチャネルをＦＣＳ確認のための前記所定のチャネルとして割り当てることを特徴とする。
【００１６】
つぎの発明にかかるハンドオーバ方法にあっては、前記ＦＣＳ請求ステップにてＦＣＳ請求後、前記ＦＣＳ確認ステップにてＦＣＳの許可が得られない場合、前記移動局が、前記第１のセルで通信を継続することを特徴とする。
【００１７】
つぎの発明にかかるハンドオーバ方法にあっては、前記ＦＣＳ請求ステップにてＦＣＳ請求後、前記ＦＣＳ確認ステップにてＦＣＳの許可が得られず、かつ前記第２のセル以外に前記第１のセルを越える回線品質を有する第３のセルが存在する場合、前記移動局が、当該第３のセルに関する情報を含めたＦＣＳ請求を送信することを特徴とする。
【００１８】
つぎの発明にかかる移動局にあっては、同一基地局におけるセル間および異なる基地局間でハンドオーバを実行可能な構成とし、第１のセルで基地局と通信中に、当該第１のセルを越える回線品質を有する第２のセルを検出した場合に、当該第２のセルに関する情報を含めたＦＣＳ（Ｆａｓｔ　Ｃｅｌｌ　Ｓｅｌｅｃｔｉｏｎ）請求を送信し、ＦＣＳ請求に対する応答として、ＦＣＳが可能であることを示す情報が含まれたＦＣＳ確認を所定のチャネルを介して受け取った場合に、前記第２のセルに切り替える、ＦＣＳ制御手段、を備えることを特徴とする。
【００１９】
つぎの発明にかかる移動局にあっては、ＦＣＳ制御専用として設けられた共通制御チャネルを介してＦＣＳ確認を受信することを特徴とする。
【００２０】
つぎの発明にかかる移動局にあっては、制御チャネルを介してＦＣＳ確認を受信することを特徴とする。
【００２１】
つぎの発明にかかる移動局において、前記ＦＣＳ制御手段は、前記ＦＣＳ請求後、ＦＣＳの許可が得られない場合、前記第１のセルで通信を継続することを特徴とする。
【００２２】
つぎの発明にかかる移動局において、前記ＦＣＳ制御手段は、前記ＦＣＳ請求後、ＦＣＳの許可が得られず、かつ前記第２のセル以外に前記第１のセルを越える回線品質を有する第３のセルが存在する場合、当該第３のセルに関する情報を含めたＦＣＳ請求を送信することを特徴とする。
【００２３】
つぎの発明にかかる基地局にあっては、第１のセルで移動局と通信中に、同一基地局の第２のセルに関する情報が含まれたＦＣＳ（Ｆａｓｔ　Ｃｅｌｌ　Ｓｅｌｅｃｔｉｏｎ）請求を受け取り、かつリソースがある場合、ＦＣＳが可能であることを示す情報を含めたＦＣＳ確認を所定のチャネルを用いて前記移動局に対して送信し、ＦＣＳ確認送信後、前記第１のセルと前記第２のセルとの間で自動再送要求操作の受け継ぎ処理を行い、前記第２のセルにおいて前記受け継ぎ処理後の自動再送操作手順にしたがって未送信データを送信する、ＦＣＳ制御手段、を備えることを特徴とする。
【００２４】
つぎの発明にかかる基地局において、前記ＦＣＳ制御手段は、前記リソースがない場合、第１のセルにおけるデータの送信を継続することを特徴とする。
【００２５】
つぎの発明にかかる基地局において、前記自動再送要求操作の受け継ぎ処理では、前記第１のセルの制御部で管理している自動再送要求操作に関する情報を、前記基地局内の内部バスを介して前記第２のセルの制御部に対して送信することを特徴とする。
【００２６】
つぎの発明にかかる基地局にあっては、第１のセルで他の基地局と移動局が通信中に、自局の第２のセルに関する情報が含まれたＦＣＳ（Ｆａｓｔ　Ｃｅｌｌ　Ｓｅｌｅｃｔｉｏｎ）請求を受け取り、かつリソースがある場合、ＦＣＳが可能であることを示す情報を含めたＦＣＳ確認を所定のチャネルを用いて前記移動局に対して送信し、ＦＣＳ確認送信後、前記第１のセルと前記第２のセルとの間で自動再送要求操作の受け継ぎ処理を行い、前記第２のセルにおいて前記受け継ぎ処理後の自動再送操作手順にしたがって未送信データを送信する、ＦＣＳ制御手段、を備えることを特徴とする。
【００２７】
つぎの発明にかかる基地局において、前記自動再送要求操作の受け継ぎ処理では、前記第１のセルの制御部で管理している自動再送要求操作に関する情報を、隣接基地局を接続した専用線を介して前記第２のセルの制御部に対して送信することを特徴とする。
【００２８】
つぎの発明にかかる基地局にあっては、前記所定のチャネルとして、ＦＣＳ制御専用の共通制御チャネルを設けることを特徴とする。
【００２９】
つぎの発明にかかる基地局にあっては、制御チャネルが複数のチャネルで構成されている場合、いずれか１本のチャネルをＦＣＳ確認のための前記所定のチャネルとして割り当てることを特徴とする。
【００３０】
つぎの発明にかかる基地局にあっては、第１のセルで移動局と通信中に、他局の第２のセルに関する情報が含まれたＦＣＳ（Ｆａｓｔ　Ｃｅｌｌ　Ｓｅｌｅｃｔｉｏｎ）請求を受け取り、かつ前記他局がＦＣＳを許可した場合、前記第１のセルにおけるデータの送信を停止するＦＣＳ制御手段、を備えることを特徴とする。
【００３１】
【発明の実施の形態】
以下に、本発明にかかるハンドオーバ方法、移動局および基地局の実施の形態を図面に基づいて詳細に説明する。なお、この実施の形態によりこの発明が限定されるものではない。
【００３２】
実施の形態１．
図１は、実施の形態１のハンドオーバ方法の概要を示す図である。図１において、１は移動局（ＵＥ）であり、２は基地局（ＮｏｄｅＢ）であり、３は基地局２がカバーするエリアである。本実施の形態では、先に説明したＩｎｔｒａ−ＮｏｄｅＢのセル間のハンドオーバについて説明する。
【００３３】
ここで、本実施の形態のハンドオーバ方法の概要について説明する。移動局１では、セル単位に唯一のパイロットチャネルの受信電力を測定し、電力の最も大きいセルが現在サービス中のセルでない場合（たとえば、通信中のセル（１）よりも受信電力の大きいセル（２）を検出した場合）、新セルＩＤを含むＦＣＳ請求を基地局２に対して通知する。基地局２では、コード数を考慮してＦＣＳ可否とタイミングを決定する。そして、コード（リソース）が残っていれば、所定のチャネルを用いて新セルＩＤを含むＦＣＳ確認を移動局１に対して返信する。移動局１では、基地局に対して新セルのＣＱＩを送信し、その後、新セルの制御チャネルおよびデータチャネルを受信する。
【００３４】
図２は、本発明にかかる移動局１の構成を示す図であり、１１はベースバンド部であり、１２はＨＳ−ＤＳＣＨ受信部であり、１３はＨＳ−ＳＣＣＨ受信部であり、１４はＣＰＩＣＨ測定部であり、１５はＦＣＳ制御部であり、１６は制御情報送信部であり、１７はＲＦ部である。ここでは、ＦＣＳ制御部１５にて、後述する本実施の形態のハンドオーバ方法における移動局側の動作を実現する。
【００３５】
図３は、本発明にかかる基地局２の構成を示す図であり、２１はＣＰＩＣＨ送信部であり、２２はＨＳ−ＳＣＣＨ送信部であり、２３はＨＳ−ＤＳＣＨ送信部であり、２４は制御情報受信部であり、２５はＦＣＳ制御部であり、２６はセル（１）ＲＦ部であり、２７はセル（２）ＲＦ部である。ここでは、ＦＣＳ制御部２５にて、後述する本実施の形態のハンドオーバ方法における基地局側の動作を実現する。
【００３６】
つぎに、上記移動局１および基地局２を用いて本実施の形態のハンドオーバ方法を詳細に説明する。図４は、本実施の形態のハンドオーバ方法を示すフローチャートである。また、図５は、ハンドオーバ動作のタイムチャートを示す図である。ここでは、Ｉｎｔｒａ−ＮｏｄｅＢのセル間のハンドオーバとして、たとえば、セル（１）で通信中の移動局１が基地局２のセル間のハンドオーバを行う場合について説明する。
【００３７】
まず、移動局１のＣＰＩＣＨ測定部１４では、基地局２の各セルのＣＰＩＣＨ（Ｃｏｍｍｏｎ　ＰＩｌｏｔ　ＣＨａｎｎｅｌ：共通パイロットチャネル）の受信電力を測定し、その結果をＦＣＳ制御部１５に通知する（ステップＳ１）。
【００３８】
ＦＣＳ制御部１５では、セル（１）のＣＰＩＣＨの電力よりも大きい電力として、たとえば、セル（２）のＣＰＩＣＨ電力を検出した場合（ステップＳ２、Ｙｅｓ）、セル（２）のＣＱＩ（Ｃｈａｎｎｅｌ　Ｑｕａｌｉｔｙ　Ｉｎｄｉｃａｔｏｒ）とセルＩＤを含むＦＣＳ請求を上りＤＰＣＣＨ（Ｄｅｄｉｃａｔｅｄ　Ｐｈｙｓｉｃａｌ　Ｃｏｎｔｒｏｌ　Ｃｈａｎｎｅｌ：ＤＣＨ（Ｄｅｄｉｃａｔｅｄ　Ｃｈａｎｎｅｌ）転送用物理チャネル）を用いて基地局２に対して送信する（ステップＳ３）。同時に、セル（１）とセル（２）のＣＰＩＣＨのタイミングオフセットを測定し、ＨＳ−ＳＣＣＨ（Ｈｉｇｈ　Ｓｐｅｅｄ　−　Ｓｈａｒｅｄ　Ｃｏｎｔｒｏｌ　ＣＨａｎｎｅｌ）の切り替え準備を行う。なお、セル（１）のＣＰＩＣＨの電力が最大の場合は（ステップＳ２、Ｎｏ）、ＣＰＩＣＨの最大電力の検出処理を継続する。
【００３９】
基地局２の制御情報受信部２４がＦＣＳ請求を受け取ると（ステップＳ１０）、ＦＣＳ制御部２５では、リソースがあるかどうかを判断する（ステップＳ１１）。たとえば、コードが残っている場合（ステップＳ１１、Ｙｅｓ）、ＦＣＳ制御部２５では、ＦＣＳが可能であることを示す情報またはセル（２）のセルＩＤを含むＦＣＳ確認をＦＣＳ−ＳＣＣＨ（ＦＣＳ制御専用共通制御チャネル）を用いて移動局１に対して通知する（ステップＳ１２）。
【００４０】
なお、リソースがない場合は（ステップＳ１１、Ｎｏ）、ハンドオーバを行わず、現状のセル（１）で送信を継続する（ステップＳ１３）。また、図６は、ＦＣＳ−ＳＣＣＨのフレームフォーマットを示す図である。ＦＣＳ−ＳＣＣＨは、ＦＣＳが可能であることを示す情報（ＡＣＫ／ＮＡＫ）またはセルＩＤ，ＣＲＣ（Ｃｙｃｌｉｃ　Ｒｅｄｕｎｄａｎｃｙ　Ｃｈｅｃｋ）を含む。さらに、必要であれば、新セルと元セルのＣＰＩＣＨのタイミングオフセットやＨＡＲＱに関する情報を含ませることもできる。また、図７は、ＦＣＳ−ＳＣＣＨのコーディング方法を示す図である。ここでは、たとえば、所定の方法でコーディングされたセルＩＤまたはＡＣＫ／ＮＡＫと、同じく所定の方法でコーディングされた移動局ＩＤと、の排他的論理和を演算する。
【００４１】
このように、本実施の形態の移動体通信システムにおいては、ＦＣＳ−ＳＣＣＨの導入によりＦＣＳに関するＡＣＫ／ＮＡＫを受信できるので、移動局が、タイミングの異なる複数のセルのＨＳ−ＳＣＣＨを同時に受信する、という複雑な処理を回避できる。また、ＦＣＳ−ＳＣＣＨをＨＳ−ＳＣＣＨと分離することによって、ＦＣＳが行われなかった場合の回復が容易になる。また、ＦＣＳ確認に関する情報をＨＳ−ＳＣＣＨに含ませていないので、ＦＣＳ情報と制御情報を容易に区別できる。
【００４２】
その後、移動局１のＨＳ−ＳＣＣＨ受信部１３がＦＣＳ確認を受け取ると（ステップＳ４、Ｙｅｓ）、ＦＣＳ制御部１５では、共通上りＨＳ−ＤＰＣＣＨ（Ｈｉｇｈ　Ｓｐｅｅｄ　−　Ｄｅｄｉｃａｔｅｄ　Ｐｈｙｓｉｃａｌ　Ｃｏｎｔｒｏｌ　Ｃｈａｎｎｅｌ）によるセル（２）のＣＱＩ報告、およびＨＳ−ＳＣＣＨの、切り替え処理（セル（１）からセル（２）への切り替え処理）を行う（ステップＳ５）。なお、ＦＣＳ確認を受け取れない場合は（ステップＳ４、Ｎｏ）、セル（１）で通信を継続する（ステップＳ６）。また、図８は、共通上りＨＳ−ＤＰＣＣＨのフレームフォーマットを示す図である。
【００４３】
また、基地局２のＦＣＳ制御部２５では、セル（２）のＨＳ−ＳＣＣＨを用いて制御情報を送信する（ステップＳ１４）。同時に、ＨＡＲＱ操作の受け継ぎを行う（ステップＳ１４）。図９は、ＨＡＲＱ操作の受け継ぎ方法を示す図である。ここでは、基地局２が具備する各セルに対応するＱｕｅｕｅ制御部同士がＨＡＲＱのＱｕｅｕｅ同期を確立する。具体的にいうと、セル（１）のＱｕｅｕｅ制御部が、ＡＣＫ／ＮＡＫ情報や未送信データ等を含めたＨＡＲＱに関するすべての情報をコピーし、その結果を、内部バスを介してセル（２）のＱｕｅｕｅ制御部に対して送信することによって、ＨＡＲＱのＱｕｅｕｅ同期を確立する。
【００４４】
その後、ＨＡＲＱ操作の受け継ぎが完了した段階で、基地局２のＦＣＳ制御部２５では、セル（２）のＨＳ−ＤＳＣＨを用いて再送データまたは未送信データを送信する（ステップＳ１４）。なお、従来技術においては、未送信データを含む全データを再送することとしたが、本実施の形態では、必ずしも全データを再送する必要はなく、たとえば、未送信データまたは再送データから順に残りのデータを送信することとしてもよい。
【００４５】
そして、移動局１のＨＳ−ＳＣＣＨ受信部１３では、上記測定したタイミングオフセットを考慮して、セル（２）のＨＳ−ＳＣＣＨを受信して制御情報（拡散コード（ＣＣＳ），変調方式（ＭＯＤ）等）を取得し、ＨＳ−ＤＳＣＨ受信部１２では、セル（２）のＨＳ−ＤＳＣＨを受信し、当該制御情報に基づいてデータを復調する（ステップＳ７）。
【００４６】
このように、本実施の形態においては、従来技術と異なり、ＦＣＳ時に上位レイヤによる制御が発生しないため、すなわち、物理レイヤの処理だけでＦＣＳを完了できるため、ＦＣＳにかかる処理時間を大幅に短縮できる。また、ＦＣＳ−ＳＣＣＨの導入によりＦＣＳに関するＡＣＫ／ＮＡＫを受信できるので、移動局が、タイミングの異なる複数のセルのＨＳ−ＳＣＣＨを同時に受信する、という複雑な処理を回避できる。また、ＨＡＲＱ操作の受け継ぎを容易に実現できる。
【００４７】
なお、本実施の形態においては、基地局から移動局へのＦＣＳ確認に、ＦＣＳ−ＳＣＣＨを新たに設けて送信しているが、これに限らず、たとえば、現状４本のＨＳ−ＳＣＣＨのいずれか１本をＦＣＳ確認のためのチャネルとして割り当てることとしてもよい。この場合、ＦＣＳ−ＳＣＣＨを新たに設ける必要はない。
【００４８】
図１０は、ＨＳ−ＳＣＣＨをＦＣＳ確認のためのチャネルとして割り当てた場合のフレームフォーマットの一例を示す図である。（ａ）の例では、上段が、通常のＨＳ−ＳＣＣＨのフレームフォーマットを表し、先頭の「ＦＣＳ　ＹＥＳ／ＮＯ　Ｉｎｄｉｃａｔｏｒ」を「Ｎｏ」とし、以降通常の制御情報（拡散コード，変調方式，ＨＡＲＱ情報等）を送信する。一方、下段は、ＦＣＳ確認として用いる場合のＨＳ−ＳＣＣＨのフレームフォーマットを表し、先頭の「ＦＣＳ　ＹＥＳ／ＮＯ　Ｉｎｄｉｃａｔｏｒ」を「Ｙｅｓ」とし、以降ＦＣＳ確認として「ＦＣＳ　ＡＣＫ／ＮＡＫ」またはセルＩＤを送信する。この例では、すべてのフレームで「ＦＣＳ　ＹＥＳ／ＮＯ　Ｉｎｄｉｃａｔｏｒ」が必要になる。また、（ｂ）の例では、通常のＨＳ−ＳＣＣＨ（「ＦＣＳ　ＹＥＳ／ＮＯ　Ｉｎｄｉｃａｔｏｒ」のない通常のＨＳ−ＳＣＣＨ）にＦＣＳ確認用スロットを挿入する。ＦＣＳ確認用スロットには、ＦＣＳ確認として（ｃ）に示すように「ＦＣＳ　ＡＣＫ／ＮＡＫ」またはセルＩＤを含ませる。また、ＦＣＳ確認用スロットに普通のＨＳ−ＳＣＣＨスロットと異なる「Ｃｈａｎｎｅｌｉｓａｔｉｏｎ　Ｃｏｄｅ」を用いて普通のＨＳ−ＳＣＣＨと区別する方法がある。
【００４９】
ＨＳ−ＳＣＣＨをＦＣＳ確認のためのチャネルとして割り当てることにより、ＦＣＳに関するＡＣＫ／ＮＡＫを受信できるので、移動局が、タイミングの異なる複数のセルのＨＳ−ＳＣＣＨを同時に受信する必要がなくなる。また、（ｂ）の例では、フレーム毎に「ＦＣＳ　ＹＥＳ／ＮＯ　Ｉｎｄｉｃａｔｏｒ」が必要ないので、伝送効率が向上する。
【００５０】
また、上記ステップＳ６においては、ＦＣＳ確認を受け取れない場合に、セル（１）で通信を継続することとしたが、たとえば、セル（２）以外にもセル（１）のＣＰＩＣＨ電力よりも大きい電力のセルが存在する場合には、次に電力の大きいセルのセルＩＤを含むＦＣＳ請求を送信することとしてもよい。これにより、常に受信状態の良好なセルを用いたパケット通信が可能となる。
【００５１】
実施の形態２．
図１１は、実施の形態２のハンドオーバ方法の概要を示す図である。図１１において、４は基地局２に隣接する基地局（ＮｏｄｅＢ）であり、５は基地局２がカバーするエリアである。なお、前述した実施の形態１と同様の構成については、同一の符号を付してその説明を省略する。また、基地局４の構成は先に説明した基地局２と同一である。本実施の形態では、Ｉｎｔｅｒ−ＮｏｄｅＢ間のハンドオーバについて説明する。また、本実施の形態では、前述の実施の形態１と異なる動作についてのみ説明する。
【００５２】
ここで、本実施の形態のハンドオーバ方法の概要について説明する。移動局１では、セル単位に唯一のパイロットチャネルの受信電力を測定し、電力の最も大きいセルが現在サービス中のセルでない場合、詳細には、通信中の基地局２のセルよりも受信電力の大きい隣接基地局４のセルを検出した場合、新セルＩＤを含むＦＣＳ請求を基地局４に対して通知する。基地局４では、コード数を考慮してＦＣＳ可否とタイミングを決定する。そして、コード（リソース）が残っていれば、所定のチャネルを用いて新セルＩＤを含むＦＣＳ確認を移動局１に対して返信する。移動局１では、基地局４に対して新セルのＣＱＩを送信し、その後、新セルの制御チャネルおよびデータチャネルを受信する。
【００５３】
つぎに、上記移動局１，基地局２，４を用いて本実施の形態のハンドオーバ方法を詳細に説明する。図１２は、本実施の形態のハンドオーバ方法を示すフローチャートである。また、図１３は、ハンドオーバ動作のタイムチャートを示す図である。ここでは、Ｉｎｔｅｒ−ＮｏｄｅＢのセル間のハンドオーバとして、たとえば、基地局２のセルで通信中の移動局１が、基地局２と基地局４との間でセル間のハンドオーバを行う場合について説明する。
【００５４】
まず、移動局１のＣＰＩＣＨ測定部１４では、基地局２および隣接基地局の各セルのＣＰＩＣＨ（Ｃｏｍｍｏｎ　ＰＩｌｏｔ　ＣＨａｎｎｅｌ：共通パイロットチャネル）の受信電力を測定し、その結果をＦＣＳ制御部１５に通知する（ステップＳ２１）。
【００５５】
ＦＣＳ制御部１５では、通信中の基地局２のセルのＣＰＩＣＨ電力よりも大きい電力として、たとえば、隣接基地局４のセルのＣＰＩＣＨ電力を検出した場合（ステップＳ２、Ｙｅｓ）、検出した新セルのＣＱＩとセルＩＤを含むＦＣＳ請求を上りＤＰＣＣＨを用いて基地局２および４に対して送信する（ステップＳ３）。同時に、基地局２の通信中セルと基地局４の新セルとのＣＰＩＣＨのタイミングオフセットを測定し、ＨＳ−ＳＣＣＨの切り替え準備を行う。なお、基地局２の通信中セルのＣＰＩＣＨ電力が最大の場合は（ステップＳ２、Ｎｏ）、上記ＣＰＩＣＨの最大電力の検出処理を継続する。
【００５６】
基地局４の制御情報受信部２４がＦＣＳ請求を受け取ると（ステップＳ１０）、ＦＣＳ制御部２５では、ＦＣＳ請求に含まれた新セルＩＤが自セルＩＤであるかどうか、さらに、リソースがあるかどうか、を判断する（ステップＳ３１）。一方、基地局２の制御情報受信部２４がＦＣＳ請求を受け取ると（ステップＳ４１）、ＦＣＳ制御部２５では、ＦＣＳ請求に含まれた新セルＩＤが自セルＩＤでないかどうかを判断する（ステップＳ４２）。
【００５７】
そして、受け取った新セルＩＤが自セルＩＤであり、かつコードが残っている場合（ステップＳ３１、Ｙｅｓ）、基地局４のＦＣＳ制御部２５では、未送信データを含むＨＡＲＱに関する情報のコピーを、後述する方法で基地局２に対して要求する（ステップＳ３２）。
【００５８】
基地局２のＦＣＳ制御部２５では、受け取った新セルＩＤが自セルＩＤでなく（ステップＳ４２、Ｙｅｓ）、かつ基地局４からコピー要求を受け取った場合（ステップＳ４３、Ｙｅｓ）、未送信データを含むＨＡＲＱに関する情報のコピーを、後述する方法で基地局４に対して送信する（ステップＳ４４）。そして、ＨＳ−ＳＣＣＨを用いた制御情報の送信、およびＨＳ−ＤＳＣＨを用いたデータの送信、を停止する（ステップＳ４５）。なお、受け取った新セルＩＤが自セルＩＤの場合（ステップＳ４２、Ｎｏ）、または、受け取った新セルＩＤが自セルＩＤではないが（ステップＳ４２、Ｙｅｓ）基地局４からコピー要求を受け取れない場合（ステップＳ４３、Ｎｏ）、については、ＨＳ−ＳＣＣＨを用いた制御情報の送信、およびＨＳ−ＤＳＣＨを用いたデータの送信、を継続する（ステップＳ４６）。
【００５９】
一方、ＨＡＲＱに関する情報のコピーを受け取った（ステップＳ３４）基地局４のＦＣＳ制御部２５では、ＦＣＳが可能であることを示す情報または基地局４における新セルのセルＩＤを含むＦＣＳ確認をＦＣＳ−ＳＣＣＨ（ＦＣＳ制御専用共通制御チャネル）を用いて移動局１に対して通知する（ステップＳ３５）。
【００６０】
なお、リソースがない場合は（ステップＳ３１、Ｎｏ）、ハンドオーバを行わず、現状のセルで送信を継続する（ステップＳ３３）。また、ＦＣＳ−ＳＣＣＨのフレームフォーマット、およびＦＣＳ−ＳＣＣＨのコーディング方法、については、先に説明した図６および図７と同様である。これにより、同様の効果が得られる。
【００６１】
その後、移動局１のＨＳ−ＳＣＣＨ受信部１３がＦＣＳ確認を受け取ると（ステップＳ４、Ｙｅｓ）、ＦＣＳ制御部１５では、共通上りＨＳ−ＤＰＣＣＨ（Ｈｉｇｈ　Ｓｐｅｅｄ　−　Ｄｅｄｉｃａｔｅｄ　Ｐｈｙｓｉｃａｌ　Ｃｏｎｔｒｏｌ　Ｃｈａｎｎｅｌ）を用いて行っていた、基地局２で使用していたセルのＣＱＩ報告およびＨＳ−ＳＣＣＨの切り替え処理（基地局２で使用していたセルから基地局４で使用するセルへの切り替え処理）を行う（ステップＳ５）。なお、ＦＣＳ確認を受け取れない場合は（ステップＳ４、Ｎｏ）、基地局２のセルで通信を継続する（ステップＳ６）。
【００６２】
また、基地局４のＦＣＳ制御部２５では、新セルのＨＳ−ＳＣＣＨを用いて制御情報を送信する（ステップＳ３６）。同時に、上記で受け取った未送信データを含むＨＡＲＱに関する情報のコピーを用いて、ＨＡＲＱ操作の受け継ぎを行う（ステップＳ３６）。その後、新セルのＨＳ−ＤＳＣＨを用いて未送信データまたは再送データを送信する（ステップＳ３６）。なお、従来技術においては、未送信データを含む全データを再送することとしたが、本実施の形態では、必ずしも全データを再送する必要はなく、たとえば、未送信データまたは再送データから順に残りのデータを送信することとしてもよい。
【００６３】
そして、移動局１のＨＳ−ＳＣＣＨ受信部１３では、上記測定したタイミングオフセットを考慮して、基地局４の新セルのＨＳ−ＳＣＣＨを受信して制御情報（拡散コード（ＣＣＳ），変調方式（ＭＯＤ）等）を取得し、ＨＳ−ＤＳＣＨ受信部１２では、基地局４の新セルのＨＳ−ＤＳＣＨを受信し、当該制御情報に基づいてデータを復調する（ステップＳ７）。
【００６４】
図１４は、ＨＡＲＱに関する情報の受け継ぎ方法の一例を示す図である。ここでは、基地局２と基地局４がＨＡＲＱのＱｕｅｕｅ同期を確立する。具体的にいうと、新セルの基地局４が、ＨＡＲＱに関する情報の受け継ぎを行うための専用線（隣接基地局を有線ケーブルで接続する）を用いて、ＡＣＫ／ＮＡＫ情報や未送信データ等を含めたＨＡＲＱに関するすべての情報のコピーを、基地局２に対して要求する。そして、元セルの基地局２が、ＨＡＲＱに関するすべての情報のコピーを上記専用線を用いて基地局４に対して送信する。これにより、ＨＡＲＱのＱｕｅｕｅ同期を確立することができる。
【００６５】
このように、本実施の形態においては、従来技術と異なり、ＦＣＳ時に上位レイヤによる制御が発生しないため、すなわち、物理レイヤの処理だけでＦＣＳを完了できるため、ＦＣＳにかかる処理時間を大幅に短縮できる。また、ＦＣＳ−ＳＣＣＨの導入によりＦＣＳに関するＡＣＫ／ＮＡＫを受信できるので、移動局が、タイミングの異なる複数のセルのＨＳ−ＳＣＣＨを同時に受信する、という複雑な処理を回避できる。また、ＨＡＲＱ操作の受け継ぎを容易に実現できる。
【００６６】
なお、本実施の形態においては、基地局から移動局へのＦＣＳ確認に、ＦＣＳ−ＳＣＣＨを新たに設けて送信しているが、これに限らず、たとえば、図１０で説明したとおり、現状４本のＨＳ−ＳＣＣＨのいずれか１本をＦＣＳ確認のためのチャネルとして割り当てることとしてもよい。この場合、ＦＣＳ−ＳＣＣＨを新たに設ける必要はない。ＨＳ−ＳＣＣＨをＦＣＳ確認のためのチャネルとして割り当てることにより、ＦＣＳに関するＡＣＫ／ＮＡＫを受信できるので、移動局が、タイミングの異なる複数のセルのＨＳ−ＳＣＣＨを同時に受信する必要がなくなる。また、（ｂ）の例では、フレーム毎に「ＦＣＳ　ＹＥＳ／ＮＯ　Ｉｎｄｉｃａｔｏｒ」が必要ないので、伝送効率が向上する。
【００６７】
また、上記ステップＳ６においては、ＦＣＳ確認を受け取れない場合に、基地局２のセルで通信を継続することとしたが、たとえば、基地局４の新セル以外にも基地局２のセルのＣＰＩＣＨ電力よりも大きい電力のセルが存在する場合には、次に電力の大きいセルのセルＩＤを含むＦＣＳ請求を送信することとしてもよい。このとき、通信中セルのＣＰＩＣＨ電力よりも大きい電力のセルが、たとえば、同一基地局の他のセルの場合には、前述の実施の形態１の処理を実施する。これにより、常に受信状態の良好なセルを用いたパケット通信が可能となる。
【００６８】
また、本実施の形態では、ＨＡＲＱに関する情報の受け継ぎを図１４に示す専用線を用いて行うこととしたが、これに限らず、図１５に示すように、ＲＮＣによる制御でＨＡＲＱに関する情報の受け継ぎを行うこととしてもよい。この場合、隣接基地局間に専用線を配置する必要はなくなるが、上位レイヤの処理が発生するためＦＣＳに時間がかかる。
【００６９】
【発明の効果】
以上、説明したとおり、本発明によれば、従来技術と異なり、ＦＣＳ時に上位レイヤによる制御が発生しないため、すなわち、物理レイヤの処理だけでＦＣＳを完了できるため、Ｉｎｔｒａ−ＮｏｄｅＢのセル間のハンドオーバにかかる処理時間を大幅に短縮できる、という効果を奏する。
【００７０】
つぎの発明によれば、ＦＣＳ請求受信後、リソースがない場合、通信中セルの制御チャネルを用いた制御情報の送信、および通信中セルのデータチャネルを用いたデータの送信、を継続する構成とした。これにより、途切れることなく通信を継続できる、という効果を奏する。
【００７１】
つぎの発明によれば、自動再送要求操作に関するすべての情報を、基地局内の内部バスを介して送信する構成とした。これにより、Ｉｎｔｒａ−ＮｏｄｅＢのセル間のハンドオーバ時の、自動再送要求操作の受け継ぎを容易に実現できる、という効果を奏する。
【００７２】
つぎの発明によれば、従来技術と異なり、ＦＣＳ時に上位レイヤによる制御が発生しないため、すなわち、物理レイヤの処理だけでＦＣＳを完了できるため、Ｉｎｔｅｒ−ＮｏｄｅＢ間のハンドオーバにかかる処理時間を大幅に短縮できる、という効果を奏する。
【００７３】
つぎの発明によれば、自動再送要求操作に関するすべての情報を、隣接基地局を接続した専用線を介して送信する構成とした。これにより、Ｉｎｔｅｒ−ＮｏｄｅＢ間のハンドオーバ時の、自動再送要求操作の受け継ぎを容易に実現できる、という効果を奏する。
【００７４】
つぎの発明によれば、ＦＣＳ制御専用の共通制御チャネルを設けること（ＦＣＳ−ＳＣＣＨの導入）によりＦＣＳに関するＡＣＫ／ＮＡＫを受信できるので、移動局が、タイミングの異なる複数のセルの制御チャネルを同時に受信するという複雑な処理を回避できる、という効果を奏する。また、ＦＣＳ−ＳＣＣＨを制御チャネルと分離することによって、ＦＣＳが行われなかった場合の回復が容易になる、という効果を奏する。また、ＦＣＳ確認に関する情報を制御チャネルに含ませていないので、ＦＣＳ情報と制御情報を容易に区別できる、という効果を奏する。
【００７５】
つぎの発明によれば、ＦＣＳ確認の送信に制御チャネルを割り当てることにより、ＦＣＳに関するＡＣＫ／ＮＡＫを受信できるので、移動局が、タイミングの異なる複数のセルの制御チャネルを同時に受信するという複雑な処理を回避できる、という効果を奏する。
【００７６】
つぎの発明によれば、ＦＣＳ請求後、ＦＣＳの許可が得られない場合、移動局が、通信中セルでの通信を継続する構成とした。これにより、途切れることなく通信を継続できる、という効果を奏する。
【００７７】
つぎの発明によれば、ＦＣＳ請求後、ＦＣＳの許可が得られず、かつ他に通信中セルを越える回線品質を有するセルが存在する場合、移動局が、そのセルに関する情報を含めたＦＣＳ請求を送信する構成とした。これにより、常に受信状態の良好なセルを用いたパケット通信が可能となる、という効果を奏する。
【００７８】
つぎの発明によれば、物理レイヤの処理だけでＦＣＳを完了できる。これにより、Ｉｎｔｒａ−ＮｏｄｅＢのセル間のハンドオーバおよびＩｎｔｅｒ−ＮｏｄｅＢ間のハンドオーバにかかる処理時間を大幅に短縮できる、という効果を奏する。
【００７９】
つぎの発明によれば、ＦＣＳ制御専用の共通制御チャネルを設けること（ＦＣＳ−ＳＣＣＨの導入）によりＦＣＳに関するＡＣＫ／ＮＡＫを受信できるので、タイミングの異なる複数のセルの制御チャネルを同時に受信するという複雑な処理を回避できる、という効果を奏する。また、ＦＣＳ−ＳＣＣＨを制御チャネルと分離することによって、ＦＣＳが行われなかった場合の回復が容易になる、という効果を奏する。また、ＦＣＳ確認に関する情報を制御チャネルに含ませていないので、ＦＣＳ情報と制御情報を容易に区別できる、という効果を奏する。
【００８０】
つぎの発明によれば、ＦＣＳ確認の送信に制御チャネルを割り当てることにより、ＦＣＳに関するＡＣＫ／ＮＡＫを受信できるので、タイミングの異なる複数のセルの制御チャネルを同時に受信するという複雑な処理を回避できる、という効果を奏する。
【００８１】
つぎの発明によれば、ＦＣＳ請求後、ＦＣＳの許可が得られない場合、通信中セルでの通信を継続する構成とした。これにより、途切れることなく通信を継続できる、という効果を奏する。
【００８２】
つぎの発明によれば、ＦＣＳ請求後、ＦＣＳの許可が得られず、かつ他に通信中セルを越える回線品質を有するセルが存在する場合、そのセルに関する情報を含めたＦＣＳ請求を送信する構成とした。これにより、常に受信状態の良好なセルを用いたパケット通信が可能となる、という効果を奏する。
【００８３】
つぎの発明によれば、物理レイヤの処理だけでＦＣＳを完了できるため、Ｉｎｔｒａ−ＮｏｄｅＢのセル間のハンドオーバにかかる処理時間を大幅に短縮できる、という効果を奏する。
【００８４】
つぎの発明によれば、ＦＣＳ請求受信後、リソースがない場合、通信中セルの制御チャネルを用いた制御情報の送信、および通信中セルのデータチャネルを用いたデータの送信、を継続する構成とした。これにより、途切れることなく通信を継続できる、という効果を奏する。
【００８５】
つぎの発明によれば、自動再送要求操作に関するすべての情報を、内部バスを介して送信する構成とした。これにより、Ｉｎｔｒａ−ＮｏｄｅＢのセル間のハンドオーバ時の、自動再送要求操作の受け継ぎを容易に実現できる、という効果を奏する。
【００８６】
つぎの発明によれば、物理レイヤの処理だけでＦＣＳを完了できるため、Ｉｎｔｅｒ−ＮｏｄｅＢ間のハンドオーバにかかる処理時間を大幅に短縮できる、という効果を奏する。
【００８７】
つぎの発明によれば、自動再送要求操作に関するすべての情報を、隣接基地局を接続した専用線を介して送信する構成とした。これにより、Ｉｎｔｅｒ−ＮｏｄｅＢ間のハンドオーバ時の、自動再送要求操作の受け継ぎを容易に実現できる、という効果を奏する。
【００８８】
つぎの発明によれば、ＦＣＳ制御専用の共通制御チャネルを設けること（ＦＣＳ−ＳＣＣＨの導入）によりＦＣＳに関するＡＣＫ／ＮＡＫを受信できるので、移動局が、タイミングの異なる複数のセルの制御チャネルを同時に受信するという複雑な処理を回避できる、という効果を奏する。また、ＦＣＳ−ＳＣＣＨを制御チャネルと分離することによって、ＦＣＳが行われなかった場合の回復が容易になる、という効果を奏する。また、ＦＣＳ確認に関する情報を制御チャネルに含ませていないので、ＦＣＳ情報と制御情報を容易に区別できる、という効果を奏する。
【００８９】
つぎの発明によれば、ＦＣＳ確認の送信に制御チャネルを割り当てることにより、ＦＣＳに関するＡＣＫ／ＮＡＫを受信できるので、移動局が、タイミングの異なる複数のセルの制御チャネルを同時に受信するという複雑な処理を回避できる、という効果を奏する。
【００９０】
つぎの発明によれば、通信中の移動局からＦＣＳ請求を受け取り、かつハンドオーバ先の基地局がＦＣＳを許可した場合、通信中セルの制御チャネルを用いた制御情報の送信、および通信中セルのデータチャネルを用いたデータの送信、を停止する構成とした。これにより、直ちに無駄なデータ送信を回避できる、という効果を奏する。
【図面の簡単な説明】
【図１】実施の形態１のハンドオーバ方法の概要を示す図である。
【図２】本発明にかかる移動局の構成を示す図である。
【図３】本発明にかかる基地局の構成を示す図である。
【図４】実施の形態１のンドオーバ方法を示すフローチャートである。
【図５】実施の形態１のハンドオーバ動作のタイムチャートを示す図である。
【図６】ＦＣＳ−ＳＣＣＨのフレームフォーマットを示す図である。
【図７】ＦＣＳ−ＳＣＣＨのコーディング方法を示す図である。
【図８】共通上りＨＳ−ＤＰＣＣＨのフレームフォーマットを示す図である。
【図９】実施の形態１のＨＡＲＱ操作の受け継ぎ方法を示す図である。
【図１０】ＨＳ−ＳＣＣＨをＦＣＳ確認のためのチャネルとして割り当てた場合のフレームフォーマットの一例を示す図である。
【図１１】実施の形態２のハンドオーバ方法の概要を示す図である。
【図１２】実施の形態２のハンドオーバ方法を示すフローチャートである。
【図１３】実施の形態２のハンドオーバ動作のタイムチャートを示す図である。
【図１４】実施の形態２のＨＡＲＱに関する情報の受け継ぎ方法の一例を示す図である。
【図１５】ＨＡＲＱに関する情報の受け継ぎ方法の一例を示す図である。
【図１６】ＨＳＤＰＡを実現可能な移動体通信システムの一構成例を示す図である。
【図１７】従来のハンドオーバ方法を示す図である。
【符号の説明】
１　移動局（ＵＥ）、２，４　基地局（ＮｏｄｅＢ）、３，５　エリア、１１ベースバンド部、１２　ＨＳ−ＤＳＣＨ受信部、１３　ＨＳ−ＳＣＣＨ受信部、１４　ＣＰＩＣＨ測定部、１５　ＦＣＳ制御部、１６　制御情報送信部、１７ＲＦ部、２１　ＣＰＩＣＨ送信部、２２　ＨＳ−ＳＣＣＨ送信部、２３　ＨＳ−ＤＳＣＨ送信部、２４　制御情報受信部、２５　ＦＣＳ制御部、２６　セル（１）ＲＦ部、２７　セル（２）ＲＦ部。
【図１】
2004072513.tif 000003
【図２】
2004072513.tif 000004
【図３】
2004072513.tif 000005
【図４】
2004072513.tif 000006
【図５】
2004072513.tif 000007
【図６】
2004072513.tif 000008
【図７】
2004072513.tif 000009
【図８】
2004072513.tif 000010
【図９】
2004072513.tif 000011
【図１０】
2004072513.tif 000012
【図１１】
2004072513.tif 000013
【図１２】
2004072513.tif 000014
【図１３】
2004072513.tif 000015
【図１４】
2004072513.tif 000016
【図１５】
2004072513.tif 000017
【図１６】
2004072513.tif 000018
【図１７】
2004072513.tif 000019